【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
ネットワークにアクセスし、ウェブページを表示可能な画像形成装置であって、
閲覧した複数のウェブページのＵＲＬ（Ｕｎｉｆｏｒｍ Ｒｅｓｏｕｒｃｅ Ｌｏｃａｔｏｒ）情報を記録するＵＲＬ記録手段と、
前記ＵＲＬ記録手段に記録された前記ＵＲＬ情報に応じた複数のウェブページデータを取得するページ取得手段と、
前記取得した複数のウェブページデータの各々を印刷データに変換する変換手段と、
前記複数のウェブページデータを変換して得られた複数の印刷データを結合して結合印刷データを生成するページ結合手段と、
前記結合印刷データに基づいて印刷を行う印刷手段と、
を備えることを特徴とする画像形成装置。
【請求項２】
前記ＵＲＬ記録手段は、ＵＲＬ記録開始の指示及びＵＲＬ記録停止の指示に従って、前記ＵＲＬ情報をＵＲＬテーブルに記録し、
前記ページ取得手段は、前記ＵＲＬテーブルに記録されたＵＲＬ情報に対応した複数のウェブページデータを順に取得することを特徴とする請求項１に記載の画像形成装置。
【請求項３】
前記印刷データは、前記変換手段がウェブページデータを変換することによって得られるページ記述言語データであり、
前記ページ結合手段は、前記変換手段によって前記複数のウェブページデータを変換して得られた前記ページ記述言語データを結合し、
前記印刷手段は、前記結合されたページ記述言語データをイメージデータに変換して印刷することを特徴とする請求項１又は２に記載の画像形成装置。
【請求項４】
前記ＵＲＬ記録手段は、指定されたウェブページのＵＲＬ情報を記録することを特徴とする請求項１乃至３の何れか１項に記載の画像形成装置。
【請求項５】
ネットワークにアクセスし、ウェブページを表示可能な画像形成装置であって、
閲覧したウェブページのＵＲＬ（Ｕｎｉｆｏｒｍ Ｒｅｓｏｕｒｃｅ Ｌｏｃａｔｏｒ）の記録を行うＵＲＬ記録手段と、
前記閲覧したウェブページ内でユーザに指定された文字列をリスト化して記録する文字列記録手段と、
前記記録された文字列のリストを指定頻度順に並び替える並び替え手段と、
前記リストの頻度順に、閲覧しているウェブページ内の文字列を検索する検索手段と、
前記ＵＲＬ記録手段に記録された前記ＵＲＬ情報に対応するウェブページデータ及び前記検索手段によって検索された前記文字列にリンクしているウェブページデータを取得するウェブページ取得手段と、
前記取得した複数のウェブページデータの各々を印刷データに変換する変換手段と、
前記複数のウェブページデータを変換して得られた複数の印刷データを結合して結合印刷データを生成するページ結合手段と、
前記結合印刷データに基づいて印刷を行う印刷手段と、
を備えることを特徴とする画像形成装置。
【請求項６】
前記ＵＲＬ記録手段は、検索して取得した前記文字列にリンクしているウェブページのＵＲＬ情報を記録しており、
前記ウェブページ取得手段は、前記ＵＲＬ記録手段に記録されている前記ＵＲＬ情報に対応した複数のウェブページデータを順に取得することを特徴とする請求項５に記載の画像形成装置。
【請求項７】
前記印刷データは、前記変換手段がウェブページデータを変換することによって得られるページ記述言語データであり、
前記ページ結合手段は、前記複数のウェブページデータに対応した変換された複数のページ記述言語データを結合し、
前記印刷手段は、前記結合されたページ記述言語データをイメージデータに変換して印刷することを特徴とする請求項５又は６に記載の画像形成装置。
【請求項８】
さらに、前記ＵＲＬ記録手段に記録されたＵＲＬ情報に対応するウェブページの印刷レイアウトを指定するレイアウト指定手段を備え、
前記印刷手段は、前記指定された印刷レイアウトに基づいて印刷することを特徴とする請求項１乃至７の何れか１項に記載の画像形成装置。
【請求項９】
さらに、前記ＵＲＬ記録手段に記録されたＵＲＬ情報を選択するＵＲＬ選択手段を備え、
前記印刷手段は、選択されたＵＲＬ情報に対応するウェブページデータに基づいて印刷することを特徴とする請求項１乃至７の何れか１項に記載の画像形成装置。
【請求項１０】
さらに、前記ＵＲＬ記録手段に記録されたＵＲＬ情報に対応するウェブページのサムネイルを表示するサムネイル表示手段を備えることを特徴とする請求項１乃至９の何れか１項に記載の画像形成装置。
【請求項１１】
ネットワークにアクセスし、ウェブページを表示可能な画像形成装置の制御方法であって、
表示した複数のウェブページのＵＲＬ（Ｕｎｉｆｏｒｍ Ｒｅｓｏｕｒｃｅ Ｌｏｃａｔｏｒ）情報を記録するＵＲＬ記録手段に記録された前記ＵＲＬ情報に応じた複数のウェブページデータを取得するページ取得工程と、
前記取得工程で取得した複数のウェブページデータの各々を印刷データに変換する変換工程と、
前記複数のウェブページデータを変換して得られた複数の印刷データを結合して結合印刷データを生成するページ結合工程と、
前記結合印刷データに基づいて印刷を行う印刷工程と、
を備えることを特徴とする画像形成装置の制御方法。
【請求項１２】
前記ＵＲＬ記録手段は、ＵＲＬ記録開始の指示及びＵＲＬ記録停止の指示に従って、前記ＵＲＬ情報をＵＲＬテーブルに記録し、
前記ページ取得工程は、前記ＵＲＬテーブルに記録されたＵＲＬ情報に対応した複数のウェブページデータを順に取得することを特徴とする請求項１１に記載の画像形成装置の制御方法。
【請求項１３】
前記印刷データは、前記変換手段がウェブページデータを変換することによって得られるページ記述言語データであり、
前記ページ結合工程は、前記変換工程で前記複数のウェブページデータを変換して得られた前記ページ記述言語データを結合し、
前記印刷工程は、前記結合されたページ記述言語データをイメージデータに変換して印刷することを特徴とする請求項１１又は１２に記載の画像形成装置の制御方法。
【請求項１４】
前記ＵＲＬ記録手段は、指定されたウェブページのＵＲＬ情報を記録することを特徴とする請求項１１乃至１３の何れか１項に記載の画像形成装置の制御方法。
【請求項１５】
ネットワークにアクセスし、ウェブページを表示可能な画像形成装置の制御方法であって、
表示したウェブページのＵＲＬ（Ｕｎｉｆｏｒｍ Ｒｅｓｏｕｒｃｅ Ｌｏｃａｔｏｒ）をＵＲＬテーブルに記録するＵＲＬ記録工程と、
前記表示したウェブページ内でユーザにより指定された文字列をリスト化して記録する文字列記録工程と、
前記記録された文字列のリストを指定頻度順に並び替える並び替え工程と、
前記リストの頻度順に、閲覧しているウェブページ内の文字列を検索する検索工程と、
前記ＵＲＬ記録工程で記録された前記ＵＲＬ情報に対応するウェブページデータ及び前記検索工程で検索された前記文字列にリンクしている複数のウェブページデータを取得するウェブページ取得工程と、
前記取得工程で取得した複数のウェブページデータの各々を印刷データに変換する変換工程と、
前記複数のウェブページデータを変換して得られた複数の印刷データを結合して結合印刷データを生成するページ結合工程と、
前記結合印刷データに基づいて印刷を行う印刷工程と、
を備えることを特徴とする画像形成装置の制御方法。
【請求項１６】
前記ＵＲＬテーブルには、検索して取得した前記文字列にリンクしているウェブページのＵＲＬ情報が記録されており、
前記ウェブページ取得工程は、前記ＵＲＬテーブルに記録されている前記ＵＲＬ情報に対応した複数のウェブページデータを順に取得することを特徴とする請求項１５に記載の画像形成装置の制御方法。
【請求項１７】
前記印刷データは、前記変換手段がウェブページデータを変換することによって得られるページ記述言語データであり、
前記ページ結合工程は、前記変換工程で前記複数のウェブページデータを変換して得られた前記ページ記述言語データを結合し、
前記印刷工程は、前記結合されたページ記述言語データをイメージデータに変換して印刷することを特徴とする請求項１５又は１６に記載の画像形成装置の制御方法。
【請求項１８】
さらに、前記ＵＲＬテーブルに記録されたＵＲＬ情報に対応するウェブページの印刷レイアウトを指定するレイアウト指定工程を備え、
前記印刷工程は、前記指定された印刷レイアウトに基づいて印刷することを特徴とする請求項１１乃至１７の何れか１項に記載の画像形成装置の制御方法。
【請求項１９】
さらに、前記ＵＲＬテーブルに記録されたＵＲＬ情報を選択するＵＲＬ選択工程を備え、
前記印刷工程は、選択されたＵＲＬ情報に対応するウェブページを印刷することを特徴とする請求項１１乃至１７の何れか１項に記載の画像形成装置の制御方法。
【請求項２０】
さらに、前記ＵＲＬテーブルに記録されたＵＲＬ情報に対応するウェブページのサムネイルを表示するサムネイル表示工程を備えることを特徴とする請求項１１乃至１９の何れか１項に記載の画像形成装置の制御方法。
【請求項２１】
請求項１１乃至２０の何れか１項に記載の画像形成装置の制御方法を実行することを特徴とするコンピュータプログラム。
【請求項２２】
請求項２１に記載のコンピュータプログラムを格納したことを特徴とするコンピュータ読み取り可能な記憶媒体。
【手続補正２】
【補正対象書類名】明細書
【補正対象項目名】０００８
【補正方法】変更
【補正の内容】
【０００８】
上記課題を解決するために、本発明による画像形成装置は、ネットワークにアクセスし、ウェブページを表示可能な画像形成装置であって、閲覧した複数のウェブページのＵＲＬ（Ｕｎｉｆｏｒｍ Ｒｅｓｏｕｒｃｅ Ｌｏｃａｔｏｒ）情報を記録するＵＲＬ記録手段と、前記ＵＲＬ記録段に記録された前記ＵＲＬ情報に応じた複数のウェブページデータを取得するページ取得手段と、前記取得した複数のウェブページデータの各々を印刷データに変換する変換手段と、前記複数のウェブページデータを変換して得られた複数の印刷データを結合して結合印刷データを生成するページ結合手段と、前記結合印刷データに基づいて印刷を行う印刷手段と、を備えることを特徴とする。
【手続補正３】
【補正対象書類名】明細書
【補正対象項目名】０００９
【補正方法】変更
【補正の内容】
【０００９】
また、本発明による画像形成装置は、ネットワークにアクセスし、ウェブページを表示可能な画像形成装置であって、閲覧したウェブページのＵＲＬ（Ｕｎｉｆｏｒｍ Ｒｅｓｏｕｒｃｅ Ｌｏｃａｔｏｒ）の記録を行うＵＲＬ記録手段と、前記閲覧したウェブページ内でユーザに指定された文字列をリスト化して記録する文字列記録手段と、前記記録された文字列のリストを指定頻度順に並び替える並び替え手段と、前記リストの頻度順に、閲覧しているウェブページ内の文字列を検索する検索手段と、前記ＵＲＬ記録手段に記録された前記ＵＲＬ情報に対応するウェブページデータ及び前記検索手段によって検索された前記文字列にリンクしているウェブページデータを取得するウェブページ取得手段と、前記取得した複数のウェブページデータの各々を印刷データに変換する変換手段と、前記複数のウェブページデータを変換して得られた複数の印刷データを結合して結合印刷データを生成するページ結合手段と、前記結合印刷データに基づいて印刷を行う印刷手段と、を備えることを特徴とする。
【手続補正４】
【補正対象書類名】明細書
【補正対象項目名】００１０
【補正方法】変更
【補正の内容】
【００１０】
上記課題を解決するために、本発明による画像形成装置の制御方法は、ネットワークにアクセスし、ウェブページを表示可能な画像形成装置の制御方法であって、表示した複数のウェブページのＵＲＬ（Ｕｎｉｆｏｒｍ Ｒｅｓｏｕｒｃｅ Ｌｏｃａｔｏｒ）情報を記録するＵＲＬ記録手段に記録された前記ＵＲＬ情報に応じた複数のウェブページデータを取得するページ取得工程と、前記取得工程で取得した複数のウェブページデータの各々を印刷データに変換する変換工程と、前記複数のウェブページデータを変換して得られた複数の印刷データを結合して結合印刷データを生成するページ結合工程と、前記結合印刷データに基づいて印刷を行う印刷工程と、を備えることを特徴とする。
【手続補正５】
【補正対象書類名】明細書
【補正対象項目名】００１１
【補正方法】変更
【補正の内容】
【００１１】
また、本発明による画像形成装置の制御方法は、ネットワークにアクセスし、ウェブページを表示可能な画像形成装置の制御方法であって、表示したウェブページのＵＲＬ（Ｕｎｉｆｏｒｍ Ｒｅｓｏｕｒｃｅ Ｌｏｃａｔｏｒ）をＵＲＬテーブルに記録するＵＲＬ記録工程と、前記表示したウェブページ内でユーザにより指定された文字列をリスト化して記録する文字列記録工程と、前記記録された文字列を指定頻度順に並び替える並び替え工程と、前記リストの頻度順に、閲覧しているウェブページ内の文字列を検索する検索工程と、前記ＵＲＬ記録工程で記録された前記ＵＲＬ情報に対応するウェブページデータ及び前記検索工程で検索された前記文字列にリンクしている複数のウェブページデータを取得するウェブページ取得工程と、前記取得工程で取得した複数のウェブページデータの各々を印刷データに変換する変換工程と、前記複数のウェブページデータを変換して得られた複数の印刷データを結合して結合印刷データを生成するページ結合工程と、前記結合印刷データに基づいて印刷を行う印刷工程と、を備えることを特徴とする。
【手続補正６】
【補正対象書類名】明細書
【補正対象項目名】００４８
【補正方法】変更
【補正の内容】
【００４８】
９２４は表示領域９１３をスクロールさせるためのスクロールバーである。９２３は表示領域９１３を上方向にスクロールするためのボタンで、９２５は上方向にスクロールするためのボタンである。９２６、９２８、９３０はあるウェブページに記載されている情報の一例である。このようなウェブページが表示された場合、このウェブページに記載されている情報は３ページで構成されており、９３０をタッチすることで３ページある中のお好みのページを開くことができる。ここでは一例として９３０で「２」の文字を大きく表示されており、２ページ目を開いていることを示している。これは決まりではなく、ウェブページ作成者が自由に画面のルールを決めるもので、あくまで一例である。９２８は現在ページの２ページから１つ前のページ、すなわち１ページ目をオープンするためのリンク文字で１ページ目のＷｅｂコンテンツのＵＲＬへのリンクが張られている。９２６は３ページ目をオープンするためのリンク文字で３ページ目のｗｅｂコンテンツのＵＲＬへのリンクが張られてある。
【手続補正７】
【補正対象書類名】明細書
【補正対象項目名】００５２
【補正方法】変更
【補正の内容】
【００５２】
９２０は印刷設定を行う画面を開くためのボタンである。このボタンを押下することでウェブページをどのように印刷するかの設定（部数、両面、ソートなど）の画面が表示される。そして印刷スタートボタン９１９を押下することで印刷を開始する。９１９は印刷モード指定キーであり、このボタンを押下すると図８の印刷設定ダイアログが表示される。
【手続補正８】
【補正対象書類名】図面
【補正対象項目名】図２
【補正方法】変更
【補正の内容】
【図２】
2006085376.tif 000001